(57)【要約】【課題】使用者に対する触感性を高める。【解決手段】加飾パネル２０では、パネル本体２２の表面に加飾シート２４がインサート成形によって接合されている。また、加飾シート２４は、ベース層２４Ａと、柄層２４Ｂと、クリア層２４Ｃと、を含んで構成されている。さらに、ベース層２４Ａが、布地によって構成されている。すなわち、加飾パネル２０における、柄層２４Ｂとパネル本体２２との間に、布地によって構成されたベース層２４Ａが形成されている。このため、加飾パネル２０において、ベース層２４Ａによって構成された部分が、クッション材となるように機能して、加飾パネル２０にクッション性を付与することができる。これにより、使用者が加飾パネル２０に触れたときには、使用者に対して柔らかい触感を付与することができる。以上により、使用者に対する触感性を高めることができる。【選択図】図１
2019093572.tif 000002
【特許請求の範囲】
【請求項１】
基材と、
インサート成形によって前記基材の表面に接合され、前記基材を加飾する加飾シートと、
を備え、
前記加飾シートは、
前記基材の表面を被覆すると共に、布地によって構成されたベース層と、
前記ベース層の表面を被覆する柄層と、
前記柄層の表面を被覆する保護層と、
を含んで構成されている加飾成形体。
【請求項２】
前記ベース層が、平織の織布によって構成されている請求項１に記載の加飾成形体。
【請求項３】
前記請求項１または請求項２に記載の加飾成形体を用いた家電製品。
【発明の詳細な説明】
【技術分野】
【０００１】
本発明は、加飾成形体及びそれを用いた家電製品に関する。
【背景技術】
【０００２】
従来、家電製品では、家電製品の外観を構成する部品に加飾を施して、家電製品の意匠性を高くしている（下記特許文献１参照）。この特許文献１に記載の複合成形体（加飾成形体）では、部品の表面に加飾層を設けて、当該部品を加飾している。
【先行技術文献】
【特許文献】
【０００３】
【特許文献１】特開２０１４−１８９０２４号公報
【発明の概要】
【発明が解決しようとする課題】
【０００４】
しかしながら、上記特許文献１に記載の複合成形体（加飾成形体）では、本体（基材）の表面に加飾層が直接設けられており、加飾層がプラスチックや金属によって構成されている。このため、例えば、使用者が複合成形体に接触したときに、使用者に与える触感が硬い触感となり、複合成形体及び家電製品の触感性が低下する虞がある。このため、上記加飾成形体では、触感性を高めるという点において改善の余地がある。
【０００５】
本発明は、上記事実を考慮して、触感性を高めることができる加飾成形体及びそれを用いた家電製品を提供することを目的とする。
【課題を解決するための手段】
【０００６】
形態１：本発明の１又はそれ以上の実施形態は、基材と、インサート成形によって前記基材の表面に接合され、前記基材を加飾する加飾シートと、を備え、前記加飾シートは、前記基材の表面を被覆すると共に、布地によって構成されたベース層と、前記ベース層の表面を被覆する柄層と、前記柄層の表面を被覆する保護層と、を含んで構成されている加飾成形体である。
【０００７】
形態２：本発明の１又はそれ以上の実施形態は、前記ベース層が、平織の織布によって構成されている加飾成形体である。
【０００８】
形態３：本発明の１又はそれ以上の実施形態は、上記構成の加飾成形体を用いた家電製品である。
【発明の効果】
【０００９】
本発明の１又はそれ以上の実施形態によれば、使用者に対する触感性を高めることができる。
【図面の簡単な説明】
【００１０】
【図１】図１（Ａ）は、本実施の形態に係る加飾パネルを示す斜視図であり、図１（Ｂ）は、図１（Ａ）に示される加飾パネルの断面を拡大して示す断面図（図１（Ａ）の１Ｂ−１Ｂ線拡大断面図）である。
【図２】図２は、図１（Ａ）に示される加飾パネルが適用されたクリーナを示す斜視図である。
【図３】図３は、図１（Ａ）に示される加飾パネルの成形を説明するための説明図である。図３（Ａ）は、金型に加飾シートがセットされた状態を示す説明図であり、図３（Ｂ）は、金型の型締め後に加飾パネルが成形された状態を示す説明図である。
【図４】図４は、図１（Ｂ）に示される加飾シートの変形例を示す断面図である。
【発明を実施するための形態】
【００１１】
以下、図面を用いて、本実施の形態に係る「加飾成形体」としての加飾パネル２０について説明する。
図２に示されるように、加飾パネル２０は、「家電製品」としてのクリーナ１０の外観の一部を構成する外観部品とされている。クリーナ１０は、略長尺状に形成されており、クリーナ１０の長手方向の一端部には、吸引口を有するヘッド部１２が設けられている。また、クリーナ１０の長手方向の他端部には、クリーナ本体１４が設けられており、ヘッド部１２とクリーナ本体１４とが、パイプ部１６によって連結されている。また、クリーナ本体１４には、使用者が把持する取手部１８が設けられている。そして、加飾パネル２０は、クリーナ本体１４（取手部１８）の外郭の一部を構成している。
【００１２】
（加飾パネル２０について）
図１（Ａ）にも示されるように、加飾パネル２０は、クリーナ１０の長手方向に沿って延在された略長尺状に形成されている。また、加飾パネル２０は、長手方向から見て、表面側を凸とする略円弧状に湾曲されている。さらに、加飾パネル２０では、加飾パネル２０における取手部１８を構成する部分の幅が、加飾パネル２０におけるクリーナ本体１４を構成する部分の幅に比べて狭くなっている。
【００１３】
図１（Ｂ）に示されるように、加飾パネル２０は、加飾パネル２０の本体部分を構成する「基材」としてのパネル本体２２と、パネル本体２２の表面に接合された加飾シート２４と、を含んで構成されており、パネル本体２２の表面が加飾シート２４によって覆われている。
【００１４】
パネル本体２２は、熱可塑性樹脂材（本実施の形態では、ＡＢＳ（アクリロニトリルブタジエンスチレン））によって構成されており、射出成形によって形成されている。また、本実施の形態では、パネル本体２２の厚みが、一例として、１．５ｍｍに設定されており、パネル本体２２の厚みは、パネル本体２２の全体に亘って略一定に設定されている。
【００１５】
加飾シート２４は、インサート成形によってパネル本体２２の表面に接合されて、当該表面を被覆している。この加飾シート２４は、多層構造のシートとして構成されている。具体的には、加飾シート２４は、パネル本体２２の表面を被覆するベース層２４Ａと、ベース層２４Ａの表面を被覆する柄層２４Ｂと、柄層２４Ｂの表面を被覆する「保護層」としてのクリア層２４Ｃと、を含んで構成されている。
【００１６】
ベース層２４Ａは、布地によって構成されている。具体的には、ベース層２４Ａは、延性及びクッション性を有する布地によって構成されている。より詳しくは、ベース層２４Ａが、平織された織布として構成されており、ベース層２４Ａの厚みが、一例として、０．５ｍｍに設定されている。なお、延性及びクッション性を有する布地であれば、例えば、綾織りされた織布によってベース層２４Ａを構成してもよいし、フェルト等によってベース層２４Ａを構成してもよい。また、加飾シート２４は、インサート成形によってパネル本体２２の表面に接合されるため、ベース層２４Ａは、耐熱性を有する布地として構成されている。
【００１７】
柄層２４Ｂは、樹脂材によって構成されている。具体的には、柄層２４Ｂは、ＰＶＣ（ポリ塩化ビニル）、ＰＰ（ポリプロピレン）、ＰＣ（ポリカーボネート）、ＡＢＳ等の樹脂材によって構成されている（本実施の形態では、柄層２４ＢがＰＶＣによって構成されている）。また、柄層２４Ｂの厚みは、一例として、０．０５ｍｍに設定されている。さらに、柄層２４Ｂには、カーボン調、メタリック調、木目調等の絵柄が施されており、柄層２４Ｂが意匠層として構成されている。なお、図１（Ｂ）では、便宜上、柄層２４Ｂの厚みを誇張して図示している。
【００１８】
クリア層２４Ｃは、透明の樹脂材によって構成されている。具体的には、クリア層２４Ｃは、柄層２４Ｂと同様に、ＰＶＣ、ＰＰ、ＰＣ、ＡＢＳ等の樹脂材によって構成されている（本実施の形態では、クリア層２４ＣがＰＶＣによって構成されている）。また、クリア層２４Ｃの厚みは、一例として、０．０５ｍｍに設定されている。なお、図１（Ｂ）では、便宜上、クリア層２４Ｃの厚みを誇張して図示している。
【００１９】
（作用及び効果）
上述のように、加飾パネル２０は、加飾シート２４をインサート成形して形成される。このため、以下、加飾パネル２０の製造方法を説明しつつ、本実施の形態の作用及び効果について説明する。
【００２０】
図３（Ａ）及び（Ｂ）に示されるように、加飾パネル２０は、金型３０を用いて成形される。金型３０は、固定型３２と可動型３４とを有しており、両者が対向して配置されている。固定型３２には、加飾パネル２０の表面側を成形するための凹状の成形面３２Ａが形成されており、可動型３４には、加飾パネル２０の裏面側を成形するための凸状の成形面３４Ａが形成されている。
【００２１】
そして、図３（Ａ）に示されるように、固定型３２と可動型３４とを離間させて、金型３０を型開きする（型開き工程）。
型開き工程後、加飾シート２４を金型３０にセットする（セット工程）。具体的には、固定型３２と可動型３４との対向方向を厚み方向として加飾シート２４を固定型３２に隣接して配置する。また、この状態では、加飾シート２４のクリア層２４Ｃを固定型３２側に配置するように、加飾シート２４を金型３０にセットする。なお、図示は省略するが、金型３０には、加飾シート２４の外周部を保持する環状の保持部材が設けられており、保持部材によって加飾シート２４が固定型３２に保持されている。これにより、加飾シート２４が金型３０にセットされる。
【００２２】
セット工程後、可動型３４を固定型３２側（図３（Ａ）に示される矢印参照）へ移動して、金型３０を型締めする（型締め工程）。これにより、加飾シート２４が可動型３４の成形面３４Ａによって固定型３２の成形面３２Ａ側へ押圧されて、延ばされる。よって、延ばされた状態の加飾シート２４が、可動型３４の成形面３４Ａと固定型３２の成形面３２Ａとの間に配置される。
【００２３】
図３（Ｂ）に示されるように、型締め工程後、溶融した樹脂材を、金型３０のスプール３６、ランナー３８、ゲート４０（サブマリンゲート）を介して、可動型３４の成形面３４Ａと固定型３２の成形面３２Ａ（具体的には、加飾シート２４）との間に流入させて、パネル本体２２を成形する（成形工程）。
この成形工程では、加飾シート２４が、溶融された樹脂材の圧力によって固定型３２の成形面３２Ａ側へさらに押圧される。このため、加飾シート２４が、固定型３２側へさらに延ばされる。そして、可動型３４の成形面３４Ａと固定型３２の成形面３２Ａ（加飾シート２４）との間に、樹脂材が充填されると、溶融した樹脂材が加飾シート２４のベース層２４Ａに密着すると共に、加飾シート２４のクリア層２４Ｃが固定型３２の成形面３２Ａに密着する。これにより、加飾パネル２０のパネル本体２２が成形される。
【００２４】
成形工程後では、冷却工程に移り、金型３０を冷却する。これにより、加飾パネル２０が冷却されて、溶融した樹脂が固化される。その結果、加飾シート２４のベース層２４Ａが、加飾パネル２０のパネル本体２２に接合する（貼りつけられた状態になる）。これにより、加飾パネル２０が成形される。
冷却工程後では、可動型３４を固定型３２から離間する方向に移動して、金型３０を型開き状態にする。この状態で、可動型３４のエジャクタピン４２を固定型３２側へ突き出して、加飾パネル２０を可動型３４から取り出す（取出工程）。
以上により、加飾パネル２０の成形が完了する。
【００２５】
ここで、本実施の形態の加飾パネル２０では、上述のように、パネル本体２２の表面に加飾シート２４がインサート成形によって接合されている。また、加飾シート２４は、パネル本体２２の表面を被覆するベース層２４Ａと、ベース層２４Ａの表面を被覆する柄層２４Ｂと、柄層２４Ｂの表面を被覆するクリア層２４Ｃと、を含んで構成されている。さらに、ベース層２４Ａが、布地によって構成されている。すなわち、加飾パネル２０における、柄層２４Ｂとパネル本体２２との間に、布地によって構成されたベース層２４Ａが形成されている。このため、加飾パネル２０において、ベース層２４Ａによって構成された部分が、クッション材となるように機能して、加飾パネル２０にクッション性を付与することができる。これにより、使用者が加飾パネル２０に触れたときには、使用者に対して柔らかい触感を付与することができる。以上により、使用者に対する触感性を高めることができる。
【００２６】
また、加飾パネル２０では、加飾シート２４のベース層２４Ａが、平織された織布によって構成されている。このため、加飾シート２４において、比較的高い延性を確保することができる。これにより、インサート成形によって加飾パネル２０を成形するときに、加飾シート２４を延ばして加飾パネル２０を成形することができる。その結果、加飾パネル２０を良好に成形することができる。特に、本実施の形態の加飾パネル２０にように湾曲した形状のパネルの成形では、加飾シート２４が延ばされる量が比較的大きいため、このような加飾パネル２０を有効に成形することができる。
【００２７】
また、加飾パネル２０は、家電製品としてのクリーナ１０の外観部品の一部を構成している。このため、クリーナ１０の触感性や意匠性を向上することができる。特に、本実施の形態では、クリーナ１０において、使用者が把持する取手部１８の一部が加飾パネル２０によって構成されている。このため、使用者が頻繁に接触する部分に、加飾パネル２０を設定することで、使用者に対する触感性を効果的に向上することができる。
【００２８】
なお、本実施の形態では、加飾パネル２０において、クリア層２４Ｃの厚みがベース層２４Ａの厚みに比べて薄く設定されている。これに代えて、図４に示されるように、クリア層２４Ｃの厚みをベース層２４Ａの厚みに比べて厚く設定してもよい。例えば、クリア層２４Ｃの厚みを４ｍｍ〜５ｍｍに設定してもよい。これにより、加飾パネル２０の表面が、比較的厚みの厚いクリア層２４Ｃによって構成されるため、加飾パネル２０において、立体感を付与することができる。したがって、加飾パネル２０及びクリーナ１０の意匠性を一層向上することができる。
【００２９】
また、本実施の形態では、加飾パネル２０において、ベース層２４Ａの厚みが、０．５ｍｍに設定されているが、ベース層２４Ａの厚みは任意に設定することができる。例えば、使用者に対する触感性を向上するために、ベース層２４Ａの厚みを０．５ｍｍよりも厚く設定してもよい。
【００３０】
また、本実施の形態では、加飾パネル２０が、湾曲された形状になっているが、加飾パネル２０の形状は、クリーナ１０の形状に対応して任意に設定可能である。
【００３１】
また、本実施の形態では、加飾パネル２０が、家電製品としてのクリーナ１０に用いられているが、加飾パネル２０を他の家電製品に用いてもよい。例えば、加飾パネル２０を、扇風機、布団乾燥機、除湿器、加湿器等の家電製品に用いてもよい。
【符号の説明】
【００３２】
１０   クリーナ（家電製品）
２０   加飾パネル（加飾成形体）
２２   パネル本体（基材）
２４   加飾シート
２４Ａ ベース層
２４Ｂ 柄層
２４Ｃ クリア層（保護層）
【図１】
2019093572.tif 000003
【図２】
2019093572.tif 000004
【図３】
2019093572.tif 000005
【図４】
2019093572.tif 000006